(57)【要約】【課題】スイッチの集約配置がなされた集約配置化スイッチを提供する。また、意匠部の形成が容易な集約配置化スイッチを提供する。【解決手段】ドーム形状の突出部３７を有する表シート３１を備えた薄型のスイッチ３をスイッチノブ４の表面に設けて、集約配置化スイッチとしてのパワーシートスイッチ１を構成する。パワーシートスイッチ１は、スイッチノブ４によるスイッチ操作の他に薄型のスイッチ３のスイッチ操作が付加される。表シート３１には、スイッチノブ４用の意匠部３１ａが設けられる。【選択図】    図１
2004281102.tif 000002
【特許請求の範囲】
【請求項１】
押圧部を有する表シート、前記押圧部の押圧移動に伴って変位する可動側の接点、該可動側の接点に対向して接触し合う固定側の接点を有する回路体、前記表シートと前記回路体との間に介在するとともに前記可動側の接点と前記固定側の接点との接触を確保するための貫通孔を形成した一又は複数のスペーサシート、を備えた薄型のスイッチをスイッチノブの表面に設け、該スイッチノブによるスイッチ操作の他に前記薄型のスイッチのスイッチ操作を付加した
ことを特徴とする集約配置化スイッチ。
【請求項２】
請求項１に記載の集約配置化スイッチにおいて、
前記押圧部を反転可能なドーム形状に形成した
ことを特徴とする集約配置化スイッチ。
【請求項３】
請求項１又は請求項２に記載の集約配置化スイッチにおいて、
前記表シートに前記スイッチノブ用の意匠部を設けた
ことを特徴とする集約配置化スイッチ。
【発明の詳細な説明】
【０００１  】
【発明の属する技術分野】
本発明は、スイッチを集約配置して形成される集約配置化スイッチに関し、特に、例えば車両用パワーシートに適用される集約配置化スイッチに関する。
【０００２  】
【従来の技術】
例えば車両用パワーシートに適用されるパワーシートスイッチについて図８ないし図１２を参照しながら説明する。図８は平面図、図９はスイッチノブ部分を断面にした平面図、図１０はスイッチの一部を断面にした側面図、図１１は意匠を示す平面図、図１２はシートの作動説明図である。
【０００３  】
図８ないし図１２において、パワーシートスイッチ１００は、スイッチ１０１とリクライニングスイッチ１０２とを備えて構成されている（例えば特許文献１参照）。スイッチ１００は、シート２００におけるシートクッション２０１を前後移動するためのスライドスイッチ１０５と、シートクッション２０１の前部を上下移動するための前部バーチカルスイッチ１０４と、シートクッション２０１の後部を上下移動するための後部バーチカルスイッチ１０６とを有している。これら三つのスイッチ１０４、１０５、１０６は、スライドスイッチ１０５を中心にして、前部バーチカルスイッチ１０４と後部バーチカルスイッチ１０６とを左右対称に配置して水平方向に並列して設けられている。リクライニングスイッチ１０２は、シート２００におけるシートバック２０２を調整するために設けられている。
【０００４  】
スイッチ１０１は、三つのスイッチ１０４、１０５、１０６に共通する横方向に長い一つのスイッチノブ１０３を有している。そして、そのスイッチノブ１０３を動作調節方向に操作することによって、各スイッチ１０４、１０５、又は１０６の切り換えを行えるように構成されている。すなわち、スイッチ１０１は、シートクッション２０１を前方あるいは後方へ移動させたい時に、スイッチノブ１０３をＢ矢印方向に沿って前方あるいは後方へ移動させて、シートクッション２０１の所望の作動を得るようになっている。また、シートクッション２０１の前部を上方あるいは下方へ移動させたい時には、スイッチノブ１０３をＡ矢印方向に沿って上方あるいは下方へ移動させることによって、シートクッション２０１の所望の作動を得るようになっている。
【０００５  】
【特許文献１】
実開昭５９−１０３３３１号公報
【０００６  】
【発明が解決しようとする課題】
ところで、上記従来技術にあっては、限られたスペースの中に多くのスイッチを集約状態に配置することが非常に困難であった。従って、パワーシートスイッチ１００は、スイッチ１０１とリクライニングスイッチ１０２とに分けられて構成されていた。
【０００７  】
その他、パワーシートスイッチ１００がスイッチ１０１とリクライニングスイッチ１０２とに分けられることから、各スイッチ１０１、１０２毎に一々、意匠部を形成しなければならないという問題点があった。
【０００８  】
本発明は、上述した事情に鑑みてなされるもので、スイッチの集約配置がなされた集約配置化スイッチを提供することを課題とする。また、意匠部の形成が容易な集約配置化スイッチを提供することを課題とする。
【０００９  】
【課題を解決するための手段】
上記課題を解決するためなされた請求項１記載の本発明の集約配置化スイッチは、押圧部を有する表シート、前記押圧部の押圧移動に伴って変位する可動側の接点、該可動側の接点に対向して接触し合う固定側の接点を有する回路体、前記表シートと前記回路体との間に介在するとともに前記可動側の接点と前記固定側の接点との接触を確保するための貫通孔を形成した一又は複数のスペーサシート、を備えた薄型のスイッチをスイッチノブの表面に設け、該スイッチノブによるスイッチ操作の他に前記薄型のスイッチのスイッチ操作を付加したことを特徴としている。
【００１０  】
請求項２記載の本発明の集約配置化スイッチは、請求項１に記載の集約配置化スイッチにおいて、前記押圧部を反転可能なドーム形状に形成したことを特徴としている。
【００１１  】
請求項３記載の本発明の集約配置化スイッチは、請求項１又は請求項２に記載の集約配置化スイッチにおいて、前記表シートに前記スイッチノブ用の意匠部を設けたことを特徴としている。
【００１２  】
請求項１に記載された本発明によれば、スイッチノブの表面に薄型のスイッチが設けられる。これにより、スイッチノブによるスイッチ操作の他に薄型のスイッチのスイッチ操作が付加される。従って、限られたスペースの中に多くのスイッチを集約状態に配置すること、すなわちスイッチの集約配置化を図ることが可能になる。
【００１３  】
請求項２に記載された本発明によれば、薄型のスイッチの押圧部が反転可能なドーム形状に形成される。これにより、薄型のスイッチがスイッチノブの表面のどの位置にあるのかが目視しなくても容易に分かるようになる。従って、スイッチ操作性の向上を図ることが可能になる。
【００１４  】
請求項３に記載された本発明によれば、薄型のスイッチの表シートにスイッチノブ用の意匠部が設けられる。これにより、薄型のスイッチの意匠部及びスイッチノブ用の意匠部の形成が同時に行えるようになる。従って、製造工程の簡素化を図ることが可能になる。
【００１５  】
【発明の実施の形態】
以下、図面を参照して本発明の実施の形態を説明する。
図１は本発明の集約配置化スイッチの一実施の形態を示す分解斜視図である。また、図２は集約配置化スイッチの断面図、図３は薄型スイッチ及びスイッチノブの分解斜視図、図４は接続用回路体の動作説明図、図５は集約配置化スイッチの断面図（スイッチ操作時）、図６は薄型スイッチの構成を示す断面図である。
【００１６  】
図１及び図２において、引用符号１は特に限定するものではないが、自動車のシート（パワーシート）に設けられるパワーシートスイッチ（特許請求の範囲に記載した集約配置化スイッチに相当）を示している。そのパワーシートスイッチ１は、限られたスペースの中に多くのスイッチを集約状態に配置したものとして構成されている。
【００１７  】
パワーシートスイッチ１は、スイッチ２と薄型のスイッチ３とを備えて構成されている。具体的には、スイッチ２のスイッチノブ４の表面にリクライニングスイッチとしての機能を持たせた薄型のスイッチ３を設けて構成されている。パワーシートスイッチ１は、スイッチノブ４によるスイッチ２のスイッチ操作の他に、薄型のスイッチ３のスイッチ操作を付加したものに構成されている。以下、上記スイッチ２及び薄型のスイッチ３について順に詳細に説明する。
【００１８  】
上記スイッチ２は、シートの側部５の内側に設けられる防塵／防水用ブーツ６、アッパーケース７、スイッチ素子８〜１０、基板１１、及びリアケース１２と、開口部１３を介してシートの側部５の外側に設けられるスイッチノブ４とを備えて構成されている。
【００１９  】
防塵／防水用ブーツ６は、ゴム製の柔軟なシート状の部材であって、アッパーケース７の上面及び側面を覆うように形成されている。このような防塵／防水用ブーツ６には、三つの操作ピン挿通部１４と一つの保護筒挿通部１５とが形成されている。各操作ピン挿通部１４は、スイッチ素子８〜１０の位置に応じて形成されている。各操作ピン挿通部１４には、スイッチ素子８〜１０の各操作ピン１６がそれぞれ挿通されるようになっている。また、保護筒挿通部１５は、スイッチノブ４の回路体保護筒１７の位置に応じて形成されている。保護筒挿通部１５には、スイッチノブ４の回路体保護筒１７が挿通されるようになっている。
【００２０  】
各操作ピン挿通部１４及び保護筒挿通部１５には、それぞれ凹凸部分（蛇腹状の部分）が形成されている。このような凹凸部分は、各操作ピン１６や回路体保護筒１７の位置ずれ（動き）を吸収する機能を有している。
【００２１  】
アッパーケース７は、絶縁性を有するものであって、スイッチ素子８〜１０及び基板１１の大きさに応じて形成されている。このようなアッパーケース７には、三つの円形状の貫通孔と一つの四角形状の貫通孔とが形成されている（符号は省略）。また、アッパーケース７には、フランジ１８と可撓性を有する係止片１９とが形成されている。フランジ１８は、上記シートの側部５の内側への固定（例えばネジ止め）を行う部分であって、必要に応じてその数が設定されている。尚、引用符号２０はシートの側部５の内側に形成された固定部を示している。係止片１９は、リアケース１２を係止するための部分であって、フランジ１８と同様、必要に応じてその数が設定されている。
【００２２  】
スイッチ素子８は、上記シートにおけるシートクッションを前後移動させるためのものであって、基板１１の所定位置に電気的に取り付けられている。また、スイッチ素子９は、シートクッションの前部を上下移動させるためのものであって、スイッチ素子８と同様に基板１１の所定位置（スイッチ素子８の右側に）に電気的に取り付けられている。さらに、スイッチ素子１０は、シートクッションの後部を上下移動させるためのものであって、スイッチ素子８と同様に基板１１の所定位置（スイッチ素子８の左側に）に電気的に取り付けられている。このようなスイッチ素子８〜１０には、上述の如く、操作ピン１６がそれぞれ設けられている。操作ピン１６は、図１中に示した矢印方向に沿っての移動が可能になっている。
【００２３  】
基板１１には、図示しないスイッチ回路が形成されている。このような基板１１には、上記薄型のスイッチ３に対するコネクタ２１が設けられている。そのコネクタ２１は、基板１１に貫通形成された貫通孔２２を介して電気的な接続が行えるように形成されている。
【００２４  】
リアケース１２は、絶縁性を有するものであって、基板１１を保持することができるように形成されている。また、リアケース１２は、アッパーケース７に係止されるように形成されている。引用符号２３はアッパーケース７の係止片１９の位置に応じて形成された係止突起を示している。
【００２５  】
スイッチノブ４は、例えば合成樹脂製であって、図１ないし図３に示されるような細長い略キャップ形状に形成されている。このようなスイッチノブ４には、上述の如く、回路体保護筒１７が形成されている。また、スイッチノブ４の内側には、三つの操作ピン作用部２４が形成されている。回路体保護筒１７は、その先端が基板１１の近傍までのびるような筒形状に形成されている。各操作ピン作用部２４は、スイッチ素子８〜１０の各操作ピン１６の位置に応じて形成されている。また、各操作ピン作用部２４は、各操作ピン１６の先端部分が差し込まれるように形成されている。このような各操作ピン作用部２４は、各操作ピン１６の移動を考慮した形状に形成されている。引用符号２５は上記薄型のスイッチ３に対する貫通孔を示している。その貫通孔２５は、回路体保護筒１７に連通するように形成されている。
【００２６  】
上記構成に基づいてスイッチ２の操作（作用）を説明する。尚、組み付けの説明については省略するものとする。スイッチ２は、従来同様の方法で組み付けられているものとする。
【００２７  】
先ず、シートクッションを前方あるいは後方へ移動させる時には、スイッチノブ４をＢ矢印方向に沿って前方あるいは後方へ移動させて（図５参照）、所望の作動を得るようになっている。次に、シートクッションの前部を上方あるいは下方へ移動させる時には、スイッチノブ４をＡ矢印方向に沿ってシートクッションの上方あるいは下方へ移動させることによって、所望の作動を得るようになっている。続いて、シートクッションの後部を上方あるいは下方へ移動させる時には、スイッチノブ４をＣ矢印方向に沿ってシートクッションの上方あるいは下方へ移動させることによって、所望の作動を得るようになっている。
【００２８  】
図１ないし図６において、上記薄型のスイッチ３は、スイッチノブ４の表面に設けられており、ここではそのスイッチノブ４の表面（外側）全体を覆う表シート３１と、可動側の接点３２と、スペーサシート３３と、固定側の接点３４及び接続用回路体３５を有する回路体３６とを備えて構成されている。薄型のスイッチ３は、このような構成によって薄型に形成されている。
【００２９  】
表シート３１は、例えばポリエチレンテレフタレート（ＰＥＴ）又はポリエチレンナフタレート（ＰＥＮ）からなる合成樹脂製のシート部材であって、各スイッチ機能に応じた意匠部を有している。すなわち、表シート３１は、上記材質であることから元々透明であって、本形態においては、表シート３１の内面又は外面に背景色が印刷されている。そして、特に限定するものではないが、後述する突出部３７の内面又は突出部外面には、上記背景色とは別の色のシンボル表示が表示されている。そのシンボル表示は、薄型のスイッチ３の意匠部を構成している。一方、表シート３１の平坦な部分には、スイッチ２側の意匠部が形成されている。引用符号３１ａはスイッチ２側の意匠部を示している。
【００３０  】
このような表シート３１には、ドーム形状の突出部３７（特許請求の範囲に記載した押圧部に相当）が複数形成されている。その突出部３７は、エンボス加工により形成されており、表シート３１の表面側に突出するように形成されている。また、突出部３７は、表シート３１の裏面側に反転可能となるように形成されている。本形態において突出部３７は、平面視丸形に形成されているが、この限りではないものとする。また、突出部３７は、スイッチ素子８〜１０の位置を外して形成されているが、この限りではないものとする。突出部３７の配置は、スイッチノブ４の表面側であれば特に限定されないものとする。
【００３１  】
突出部３７の内側（突出部内面）には、回路体３６に対する可動側の接点３２が設けられている。その可動側の接点３２は、カーボン等からなり突出部内面の頂部に例えば印刷によって設けられている。
【００３２  】
スペーサシート３３は、例えばポリエチレンテレフタレート（ＰＥＴ）又はポリエチレンナフタレート（ＰＥＮ）からなる合成樹脂製の柔軟性を有するシート部材であって、表シート３１の変形防止と、突出部３７の反転の際の空気抜きと、突出部３７のストローク寸法確保とを実現するために設けられている。スペーサシート３３は、表シート３１の突出部３７がある面の大きさに応じて、若しくは表シート３１と同じ大きさに形成されている。スペーサシート３３の表裏面には、接着層３８がそれぞれ設けられている。スペーサシート３３は、上記表面側から表シート３１の裏面に密着して固定されるとともに、回路体３６を上記裏面に固定することができるように形成されている。
【００３３  】
このようなスペーサシート３３は、突出部３７の位置に対応して形成される貫通孔３９と、図示しない空気逃がし部とを有している。貫通孔３９は、突出部３７の直径よりも大きな直径を有するように形成されている（突出部３７の直径と同じであってもよいものとする）。貫通孔３９には、反転した突出部３７が挿通されるようになっている。
【００３４  】
回路体３６は、本形態において既知のＦＰＣ（ＦＰＣ：フレキシブル・プリント・サーキット）が用いられている。回路体３６は、図示しないスイッチ回路を有する回路体本体と、外部との電気的な接続に用いられる接続用回路体３５とを備えて構成されている。上記回路体本体のスペーサシート３３側には、上記可動側の接点３２が接触する固定側の接点３４が設けられている。固定側の接点３４は、可動側の接点３２に対向するように配置形成されている。上記回路体本体の裏面には、スペーサシート３３のものと同様の接着層３８が設けられている。薄型のスイッチ３は、上記回路体本体の裏面がスイッチノブ４の表面に接着固定されるようになっている。
【００３５  】
接続用回路体３５は、上記回路体本体から引き出されるように形成されている。また、接続用回路体３５は、スイッチノブ４の貫通孔２５を介して回路体保護筒１７内に引き出されるように形成されている。このような接続用回路体３５の中間には、蛇腹構造の移動量吸収部４０が形成されている。また、接続用回路体３５の先端部分（端末）には、基板１１のコネクタ２１に接続されるコネクタ４１が設けられている（エッジコネクタ端子のみでもよいものとする）。尚、本形態での移動量吸収部４０の移動量Ｌは約３〜５ｍｍであるものとする。接続用回路体３５は、ＦＰＣに替えて既知のＦＦＣ（ＦＦＣ：フレキシブル・フラット・ケーブル）等を用いてもよいものとする。
【００３６  】
上記構成において、薄型のスイッチ３は次のように組み付けられる。先ず、スペーサシート３３の裏面に回路体３６を接着固定し、次に、これらをスペーサシート３３の表面側から表シート３１の裏面に接着固定することにより組み立てられる。そして、このように組み付けられた薄型のスイッチ３は、スイッチノブ４の表面を覆うようにして取り付けられる。この時、接続用回路体３５は、回路体保護筒１７を介して引き出される。その後、接続用回路体３５は、基板１１のコネクタ２１に接続される。
【００３７  】
薄型のスイッチ３は、次のように作用する（作用図面は省略する）。図６において、スイッチ操作前となる突出部３７に荷重が掛かっていない状態では、突出部３７自体の保形性によって、その形状が保持された状態にある。そして、スイッチ操作がなされ、突出部３７がスイッチ操作をする者の指により押圧されると（突出部３７に荷重を掛ける押圧操作）、突出部３７が指の押圧による荷重に抗しながら、ある荷重を境にして座屈し反転する（この時、クリック感が生じる）。
【００３８  】
突出部３７が座屈、反転するとその反転方向の荷重が減少し、突出部３７の押圧がスムーズに進行する。反転した突出部３７は更に押し込まれてスペーサシート３３の貫通孔３９に挿通され、その貫通孔３９を介して突出部３７に設けられた可動側の接点３２が回路体３６の固定側の接点３４に接触する。
【００３９  】
これにより、回路体３６の図示しないスイッチ回路が導通状態となり、薄型のスイッチ３の操作したスイッチはＯＮされる（シートバックの調整が開始される）。一方、上記指が離され上記反転方向の荷重が解除されると、突出部３７はもとの状態に復帰する。そして、これに伴って導通状態が解除され、薄型のスイッチ３の操作したスイッチはＯＦＦされる（シートバックの調整が停止する）。
【００４０  】
尚、薄型のスイッチ３に替えて次のような構成を有する薄型のスイッチを用いてもよいものとする。図７において、薄型のスイッチ３′は、ドーム形状に形成された突出部３７を有する表シート３１と、スペーサシート３３と、メンブレンシート４２と、第二スペーサシート（スペーサシート）４３と、可動側の接点３２と、固定側の接点３４及び接続用回路体３５を有する回路体３６とを備えて構成されている（薄型のスイッチ３の構成と基本的に同じものは同一の符号を付している）。
【００４１  】
このような構成の薄型のスイッチ３′は、次のように作用する（作用図面は省略する）。スイッチ操作前となる突出部３７に荷重が掛かっていない状態では、突出部３７自体の保形性によって、その形状が保持された状態にある。そして、スイッチ操作がなされ、突出部３７がスイッチ操作をする者の指により押圧されると（突出部３７に荷重を掛ける押圧操作）、突出部３７が指の押圧による荷重に抗しながら、ある荷重を境にして座屈し反転する（この時、クリック感が生じる）。
【００４２  】
突出部３７が座屈、反転するとその反転方向の荷重が減少し、突出部３７の押圧がスムーズに進行する。反転した突出部３７は更に押し込まれてスペーサシート３３の貫通孔３９に挿通され、メンブレンシート４２を押圧する。メンブレンシート４２が押圧されると撓みが生じ、そのメンブレンシート４２に設けられた可動側の接点３２が第二スペーサシート４３の貫通孔４４を介して回路体３６の固定側の接点３４に接触する。
【００４３  】
これにより、回路体３６の図示しないスイッチ回路が導通状態となり、薄型のスイッチ３′の操作したスイッチはＯＮされる（シートバックの調整が開始される）。一方、上記指が離され上記反転方向の荷重が解除されると、メンブレンシート４２及び突出部３７はもとの状態に復帰する。そして、これに伴って導通状態が解除され、薄型のスイッチ３′の操作したスイッチはＯＦＦされる（シートバックの調整が停止する）。
【００４４  】
以上、図１ないし図７までを参照しながら説明してきたように、本発明の集約配置化スイッチとしてのパワーシートスイッチ１は、スイッチノブ４の表面に薄型のスイッチ３（３′）を設けたものとして構成されている。これにより、パワーシートスイッチ１は、スイッチノブ４によるスイッチ２のスイッチ操作の他に薄型のスイッチ３（３′）のスイッチ操作が付加されたものになる。従って、限られたスペースの中に多くのスイッチを集約状態に配置することができる。
【００４５  】
薄型のスイッチ３（３′）の表シート３１には、反転可能なドーム形状の突出部３７が形成されている。従って、薄型のスイッチ３（３′）の位置を目視しなくてもその薄型のスイッチ３（３′）の位置を容易に分からせることができる。
【００４６  】
その他、本発明は本発明の主旨を変えない範囲で種々変更実施可能なことは勿論である。尚、上述では反転可能なドーム形状の突出部３７を押圧部として表シート３１に形成したドームスイッチを用いているが、突出部のない形態のメンブレンスイッチや、クリックシートスイッチ、シートスイッチ、フィルムスイッチ、ラバー（シート）スイッチを用いてもよいものとする。
【００４７  】
【発明の効果】
以上説明したように、請求項１に記載された本発明によれば、スイッチノブの表面に薄型のスイッチを設けていることから、限られたスペースの中に多くのスイッチを集約状態に配置することができる。従って、スイッチの集約配置化を図ることができるという効果を奏する。
【００４８  】
請求項２に記載された本発明によれば、押圧部を反転可能なドーム形状に形成していることから、薄型のスイッチの位置を目視しなくても容易に分かるようにすることができる。従って、スイッチ操作性の向上を図ることができるという効果を奏する。
【００４９  】
請求項３に記載された本発明によれば、表シートにスイッチノブ用の意匠部を設けていることから、薄型のスイッチの意匠部及びスイッチノブ用の意匠部の形成を同時に行うことができる。従って、意匠部の形成が容易な集約配置化スイッチを提供することができるという効果を奏する。
【図面の簡単な説明】
【図１】本発明による集約配置化スイッチの一実施の形態を示す分解斜視図である。
【図２】集約配置化スイッチの断面図である。
【図３】薄型スイッチ及びスイッチノブの分解斜視図である。
【図４】接続用回路体の動作説明図である。
【図５】集約配置化スイッチの断面図（スイッチ操作時）である。
【図６】薄型スイッチの構成を示す断面図である。
【図７】他の例となる薄型スイッチの構成を示す断面図である。
【図８】従来例のパワーシートスイッチの平面図である。
【図９】従来例のパワーシートスイッチのスイッチノブ部分を断面にした平面図である。
【図１０】従来例のパワーシートスイッチのスイッチの一部を断面にした側面図である。
【図１１】従来例のパワーシートスイッチの意匠を示す平面図である。
【図１２】従来例のパワーシートスイッチのシートの作動説明図である。
【符号の説明】
１  パワーシートスイッチ（集約配置化スイッチ）
２  スイッチ
３、３′  薄型のスイッチ
４  スイッチノブ
５  シートの側部
６  防塵／防水用ブーツ
７  アッパーケース
８〜１０  スイッチ素子
１１  基板
１２  リアケース
１３  開口部
１４  操作ピン挿通部
１５  保護筒挿通部
１６  操作ピン
１７  回路体保護筒
１８  フランジ
１９  係止片
２０  固定部
２１  コネクタ
２２  貫通孔
２３  係止突起
２４  操作ピン作用部
２５  貫通孔
３１  表シート
３１ａ  意匠部
３２  可動側の接点
３３  スペーサシート
３４  固定側の接点
３５  接続用回路体
３６  回路体
３７  突出部（押圧部）
３９  貫通孔
４０  移動量吸収部
４１  コネクタ
【図１】
2004281102.tif 000003
【図２】
2004281102.tif 000004
【図３】
2004281102.tif 000005
【図４】
2004281102.tif 000006
【図５】
2004281102.tif 000007
【図６】
2004281102.tif 000008
【図７】
2004281102.tif 000009
【図８】
2004281102.tif 000010
【図９】
2004281102.tif 000011
【図１０】
2004281102.tif 000012
【図１１】
2004281102.tif 000013
【図１２】
2004281102.tif 000014